(57)【要約】      （修正有）【課題】ユーザが再分析が必要か否かを判断し、再分析が必要な場合に手入力する必要がなく、検体分析装置の外部に搬送装置が設けられている場合でも、再分析を容易に行うことができる検体分析装置を提供する。【解決手段】表示部と、容器に収容された検体を分析するためのオーダ情報を含む登録オーダ表示画面を前記表示部に表示させる表示制御手段と、前記表示部に表示された登録オーダ表示画面に含まれるオーダ情報にしたがって、検体の分析を行う分析手段と、分析の結果に基づいて、再分析を判定する判定手段と、再分析が必要であると判定された検体を再分析するための再検オーダ情報を生成する再検オーダ生成手段と、生成された再検オーダ情報の登録指示を受け付ける指示受付手段と、再検オーダ情報の登録指示が受け付けられた場合に、前記再検オーダ情報を前記登録オーダ表示画面に追加するオーダ登録手段とを備えている。【選択図】      図１
2008268160.tif 000002
【特許請求の範囲】
【請求項１】
表示部と、
容器に収容された検体を分析するためのオーダ情報を含む登録オーダ表示画面を前記表示部に表示させる表示制御手段と、
前記表示部に表示された登録オーダ表示画面に含まれるオーダ情報にしたがって、検体の分析を行う分析手段と、
この分析手段による分析の結果に基づいて、再分析が必要か否かを判定する判定手段と、
この判定手段によって再分析が必要であると判定された検体を再分析するための再検オーダ情報を生成する再検オーダ生成手段と、
この再検オーダ生成手段により生成された再検オーダ情報の登録指示を受け付ける指示受付手段と、
この指示受付手段によって再検オーダ情報の登録指示が受け付けられた場合に、前記再検オーダ情報を前記登録オーダ表示画面に追加するオーダ登録手段と、
を備えることを特徴とする検体分析装置。
【請求項２】
前記オーダ情報を記憶する登録オーダ記憶手段を備え、
前記表示制御手段は、前記登録オーダ記憶手段に記憶されたオーダ情報を含む前記登録オーダ表示画面を前記表示部に表示するように構成されており、
前記オーダ登録手段は、前記指示受付手段によって再検オーダ情報の登録指示が受け付けられた場合に、前記再検オーダ生成手段により生成された再検オーダ情報を、前記登録オーダ記憶手段に記憶させるように構成されている請求項１に記載の検体分析装置。
【請求項３】
前記再検オーダ生成手段により生成された再検オーダ情報を記憶する再検オーダ記憶手段をさらに備え、
前記オーダ登録手段は、前記指示受付手段によって再検オーダ情報の登録指示が受け付けられた場合に、前記再検オーダ記憶手段により記憶された再検オーダ情報を、前記登録オーダ記憶手段に記憶させるように構成されている請求項２に記載の検体分析装置。
【請求項４】
前記表示制御手段は、前記再検オーダ生成手段によって生成された再検オーダ情報を含む再検オーダ表示画面を前記表示部に表示させることが可能であり、
前記オーダ登録手段は、前記再検オーダ表示画面に含まれる再検オーダ情報のなかから再分析を実行する検体に係る再検オーダ情報の選択を受け付ける選択受付手段を備え、この選択受付手段によって選択が受け付けられた再検オーダ情報を、前記登録オーダ表示画面に追加する請求項１〜３のいずれかに記載の検体分析装置。
【請求項５】
前記指示受付手段は、前記再検オーダ表示画面が前記表示部に表示されているときに、再検オーダの登録指示の受付が可能となる請求項４に記載の検体分析装置。
【請求項６】
前記オーダ情報は、分析対象の検体を特定する特定情報が含まれており、
前記容器は、収容する検体を特定する特定情報が記録された記録部を備えており、
前記検体分析装置は、前記容器の記録部に記録された特定情報を検出する検出部をさらに備えており、
前記分析手段は、前記検出部によって検出された特定情報が、前記再検オーダ表示画面に含まれる再検オーダ情報の特定情報と一致する場合に、当該再検オーダ情報にしたがって、前記特定情報により特定される検体の再分析を実行するように構成されている請求項１〜５のいずれかに記載の検体分析装置。
【請求項７】
前記分析手段は、複数の分析項目について検体の分析が可能であり、
前記再検オーダ生成手段は、再分析の対象となる検体を特定する特定情報と、再分析の分析項目とが対応付けられた再検オーダ情報を生成するように構成されている請求項１〜６のいずれかに記載の検体分析装置。
【請求項８】
前記再検オーダ生成手段は、検体を分析した分析項目とは異なる分析項目の再検オーダ情報を生成し得るように構成されている請求項７に記載の検体分析装置。
【請求項９】
検体を希釈する希釈部をさらに備え、
前記再検オーダ情報は、再分析における検体の希釈条件を示す希釈情報を含み、
前記希釈部は、前記登録オーダ表示画面に含まれるオーダ情報の希釈情報にしたがって、検体を希釈するように構成されている請求項１〜８のいずれかに記載の検体分析装置。
【発明の詳細な説明】
【技術分野】
【０００１】
本発明は免疫分析装置、血液凝固分析装置などの検体を分析する検体分析装置に関する。
【背景技術】
【０００２】
免疫分析装置や血液凝固分析装置を含む多くの検体分析装置では、例えば、当該分析装置の測定部によって測定された検体の測定結果が所定の範囲（レンジ）外の値となった場合（オーバレンジ）や、測定エラー（試薬無しによる特定項目の測定スキップ、即時停止エラーによる測定部停止など）により有用な測定結果が得られなかった場合、当該検体について再分析を行っている。
【０００３】
この再分析には、初検の分析における分析項目と同じ分析項目について再分析を行う場合や、リフレックステストのように初検の分析における分析項目と異なる分析項目について再分析を行う場合がある。また、初検の分析と同じ倍率で検体を希釈して再分析を行う場合もあれば、希釈倍率を変えて再分析を行う場合もある。
【０００４】
従来、このような再分析は、出力（表示）された分析結果に基づいて、ユーザが再分析必要と判断した検体について、当該ユーザが分析の実行に必要な情報（検体番号、分析項目など）を再度分析装置の入力部に入力することにより行っていた。
しかしながら、この従来の手入力による方法は、ユーザにとって負担が大きいばかりでなく、入力ミスにより所望の分析項目を再分析することができない惧れがある。
【０００５】
そこで、測定結果に基づいて再分析が必要な検体を選別し、選別された検体を自動的に再分析する装置が提案されている（例えば、特許文献１参照）。
特許文献１には、測定結果に基づいて必要なサンプルの測定をやり直す再検機能を備えた自動化学分析装置が開示されており、この自動化学分析装置は、測定結果に基づいて再検の必要なサンプルの再検用ワークオーダを作成して、この再検用ワークオーダを、ワークオーダがファイルされるワークオーダファイル手段にファイルする再検用ワークオーダ作成手段と、再検用ワークオーダに基づいて該当するサンプルをサンプル搬送手段から検索してサンプル測定手段に供給させる制御手段とを備えている。
【０００６】
【特許文献１】特開平１−２８４７５９号公報
【発明の開示】
【発明が解決しようとする課題】
【０００７】
特許文献１記載の装置は、サンプルを搬送するサンプル搬送手段を装置の内部に有しており、このサンプル搬送手段によって搬送されたサンプルを分析する構成となっている。その一方、例えば複数の分析装置が検体を搬送する搬送装置に接続され、搬送装置によって搬送された検体を各分析装置によって分析するシステムや、分析装置の外部に搬送装置を設け、検体の分析を行いながら新たな検体を搬送装置に追加可能な分析装置がある。このように分析装置の外部に搬送装置が設けられている場合には、検体の分析を実行して再分析が必要であることが判断できたときには、既にその検体は分析装置から搬送されており、自動的に再分析を行うことはできない。
【０００８】
本発明は、このような事情に鑑みてなされたものであり、ユーザが分析結果を確認して再分析が必要か否かを判断し、再分析が必要な場合にオーダ情報を手入力する必要がなく、ユーザの負担を軽減することができるとともに、検体分析装置の外部に搬送装置が設けられている場合でも、再分析を容易に行うことができる検体分析装置を提供することを目的としている。
【課題を解決するための手段】
【０００９】
本発明の検体分析装置は、表示部と、
容器に収容された検体を分析するためのオーダ情報を含む登録オーダ表示画面を前記表示部に表示させる表示制御手段と、
前記表示部に表示された登録オーダ表示画面に含まれるオーダ情報にしたがって、検体の分析を行う分析手段と、
この分析手段による分析の結果に基づいて、再分析が必要か否かを判定する判定手段と、
この判定手段によって再分析が必要であると判定された検体を再分析するための再検オーダ情報を生成する再検オーダ生成手段と、
この再検オーダ生成手段により生成された再検オーダ情報の登録指示を受け付ける指示受付手段と、
この指示受付手段によって再検オーダ情報の登録指示が受け付けられた場合に、前記再検オーダ情報を前記登録オーダ表示画面に追加するオーダ登録手段と、
を備えることを特徴としている。
【００１０】
本発明の検体分析装置では、分析結果に基づいて再分析が必要か否かが判定され、再分析が必要な場合に自動的にオーダ情報が生成されるので、ユーザが分析結果を確認して再分析が必要か否かを判断し、再分析が必要な場合にオーダ情報を手入力する必要がなく、ユーザの負担を軽減することができる。また、手入力による入力ミスを防止することができる。また、指示受付手段によって再検オーダ情報の登録指示が受け付けられたときに、再検オーダ情報が前記登録オーダ表示画面に追加されて再分析が実行されるため、ユーザは検体の準備をした後に再分析オーダの登録を指示すればよく、装置の外部に搬送装置が設けられている場合でも、再分析を容易に行うことができる。
【００１１】
前記オーダ情報を記憶する登録オーダ記憶手段を備え、
前記表示制御手段は、前記登録オーダ記憶手段に記憶されたオーダ情報を含む前記登録オーダ表示画面を前記表示部に表示するように構成されており、
前記オーダ登録手段は、前記指示受付手段によって再検オーダ情報の登録指示が受け付けられた場合に、前記再検オーダ生成手段により生成された再検オーダ情報を、前記登録オーダ記憶手段に記憶させるように構成することができる。
前記再検オーダ生成手段により生成された再検オーダ情報を記憶する再検オーダ記憶手段をさらに備え、
前記オーダ登録手段は、前記指示受付手段によって再検オーダ情報の登録指示が受け付けられた場合に、前記再検オーダ記憶手段により記憶された再検オーダ情報を、前記登録オーダ記憶手段に記憶させるように構成することができる。
【００１２】
また、前記表示制御手段は、前記再検オーダ生成手段によって生成された再検オーダ情報を含む再検オーダ表示画面を前記表示部に表示させることが可能であり、
前記オーダ登録手段は、前記再検オーダ表示画面に含まれる再検オーダ情報のなかから再分析を実行する検体に係る再検オーダ情報の選択を受け付ける選択受付手段を備え、この選択受付手段によって選択が受け付けられた再検オーダ情報を、前記登録オーダ表示画面に追加するように構成することができる。検体分析においては、例えば測定結果が所定のレンジからはずれている場合であっても、分析項目によっては必ずしも再検までする必要がないことがある。所定のレンジからはずれた分析項目のすべてについて機械的に再分析を行うと、無駄に試薬が消費されるとともに、再分析を含む全体の分析時間が長くなるが、表示部により表示された再検オーダ情報のなかから再分析を実行する検体に係る再検オーダ情報だけを選択的に登録オーダ表示画面に追加して再分析を実行することにより、無駄な試薬の消費をなくすとともに、再分析を含む全体の分析時間を短くすることができる。
【００１３】
前記指示受付手段は、前記再検オーダ表示画面が前記表示部に表示されているときに、再検オーダの登録指示の受付が可能となるように構成することができる。
前記オーダ情報は、分析対象の検体を特定する特定情報が含まれており、
前記容器は、収容する検体を特定する特定情報が記録された記録部を備えており、
前記検体分析装置は、前記容器の記録部に記録された特定情報を検出する検出部をさらに備えており、
前記分析手段は、前記検出部によって検出された特定情報が、前記再検オーダ表示画面に含まれる再検オーダ情報の特定情報と一致する場合に、当該再検オーダ情報にしたがって、前記特定情報により特定される検体の再分析を実行するように構成することができる。
前記分析手段は、複数の分析項目について検体の分析が可能であり、
前記再検オーダ生成手段は、再分析の対象となる検体を特定する特定情報と、再分析の分析項目とが対応付けられた再検オーダ情報を生成するように構成することができる。
【００１４】
前記再検オーダ生成手段は、検体を分析した分析項目とは異なる分析項目の再検オーダ情報を生成し得るように構成することができる。
検体を希釈する希釈部をさらに備え、
前記再検オーダ情報は、再分析における検体の希釈条件を示す希釈情報を含み、
前記希釈部は、前記登録オーダ表示画面に含まれるオーダ情報の希釈情報にしたがって、検体を希釈するように構成することができる。
【発明の効果】
【００１５】
本発明の検体分析装置によれば、ユーザが分析結果を確認して再分析が必要か否かを判断し、再分析が必要な場合にオーダ情報を手入力する必要がなく、ユーザの負担を軽減することができるとともに、検体分析装置の外部に搬送装置が設けられている場合でも、再分析を容易に行うことができる。
【発明を実施するための最良の形態】
【００１６】
以下、添付図面を参照しつつ、本発明の検体分析装置の実施の形態を詳細に説明する。
［装置の全体構成］
図１は、本発明の一実施の形態に係る免疫分析装置（検体分析装置）の全体構成を示す斜視図であり、図２は、図１に示される免疫分析装置の全体構成を示す平面図である。
本発明の一実施の形態に係る免疫分析装置１は、血液などの検体を用いてＢ型肝炎、Ｃ型肝炎、腫瘍マーカ及び甲状腺ホルモンなど種々の項目の検査を行うための装置である。この免疫分析装置１は、図１及び図２に示されるように、検体搬送部（サンプラ）１０と、緊急検体・チップ搬送部２０と、ピペットチップ供給装置３０と、チップ脱離部４０と、検体分注アーム５０と、試薬設置部６０ａ及び６０ｂと、キュベット供給部７０と、１次反応部８０ａ及び２次反応部８０ｂと、試薬分注アーム９０ａ、９０ｂ、９０ｃ及び９０ｄと、ＢＦ分離部１００ａ及び１００ｂと、搬送キャッチャ部１１０と、検出部１２０と、廃棄部１３０と、前記検体搬送部（サンプラ）１０や検体分注アーム５０などの機構の動作制御を行う制御部１４０（図３参照）とからなる測定ユニットと、この測定ユニットに電気的に接続された、データ処理ユニットである制御装置４００（図４参照）とで主に構成されている。なお、本実施の形態に係る免疫分析装置１では、検体分注アーム５０により吸引及び吐出された血液などの検体が他の検体と混ざり合うのを抑制するために、検体の吸引及び吐出を行う度に、使い捨てのピペットチップ２（図５参照）の交換を行っている。
【００１７】
この免疫分析装置１では、測定対象である血液などの検体に含まれる抗原に結合した捕捉抗体（Ｒ１試薬）に磁性粒子（Ｒ２試薬）を結合させた後に、結合（Ｂｏｕｎｄ）した抗原、捕捉抗体及び磁性粒子をＢＦ（Ｂｏｕｎｄ  Ｆｒｅｅ）分離部１００ａの磁石１０１ｂに引き寄せることにより、未反応（Ｆｒｅｅ）の捕捉抗体を含むＲ１試薬を除去する。そして、磁性粒子が結合した抗原と標識抗体（Ｒ３試薬）とを結合させた後に、結合（Ｂｏｕｎｄ）した磁性粒子、抗原および標識抗体をＢＦ分離部１００ｂの磁石に引き寄せることにより、未反応（Ｆｒｅｅ）の標識抗体を含むＲ３試薬を除去する。さらに、標識抗体との反応過程で発光する発光基質（Ｒ５試薬）を添加した後、標識抗体と発光基質との反応によって生じる発光量を測定する。このような過程を経て、標識抗体に結合する検体に含まれる抗原を定量的に測定している。
【００１８】
［制御装置の構成］
制御装置４００は、パーソナルコンピュータ４０１（ＰＣ）などからなり、図１に示されるように、制御部４００ａと、表示部４００ｂと、キーボード４００ｃとを含んでいる。制御部４００ａは、測定ユニットにおける各機構の動作制御を行うとともに、測定ユニットで得られた検体の光学的な情報を分析するための機能を有している。この制御部４００ａは、ＣＰＵ、ＲＯＭ、ＲＡＭなどからなる。また、表示部４００ｂは、制御部４００ａで得られた分析結果を表示し、また、後述する、特定情報などを表示したりするために設けられている。
【００１９】
次に、制御装置４００の構成について説明する。制御部４００ａは、図４に示されるように、ＣＰＵ４０１ａと、ＲＯＭ４０１ｂと、ＲＡＭ４０１ｃと、ハードディスク４０１ｄと、読出装置４０１ｅと、入出力インタフェース４０１ｆと、通信インタフェース４０１ｇと、画像出力インタフェース４０１ｈとから主として構成されている。この制御部４００ａは、後述する、検体を再分析するためのオーダ情報を生成したり、再分析オーダの登録を行ったりなどするために設けられている。
【００２０】
ＣＰＵ４０１ａ、ＲＯＭ４０１ｂ、ＲＡＭ４０１ｃ、ハードディスク４０１ｄ、読出装置４０１ｅ、入出力インタフェース４０１ｆ、通信インタフェース４０１ｇ、および画像出力インタフェース４０１ｈは、バス４０１ｉによって接続されている。
ＣＰＵ４０１ａは、ＲＯＭ４０１ｂに記憶されているコンピュータプログラムおよびＲＡＭ４０１ｃにロードされたコンピュータプログラムを実行することが可能である。そして、後述するようなアプリケーションプログラム４０４ａをＣＰＵ４０１ａが実行することにより、コンピュータ４０１が制御装置４００として機能する。
【００２１】
ＲＯＭ４０１ｂは、マスクＲＯＭ、ＰＲＯＭ、ＥＰＲＯＭ、ＥＥＰＲＯＭなどによって構成されており、ＣＰＵ４０１ａに実行されるコンピュータプログラム及びこれに用いるデータなどが記録されている。
ＲＡＭ４０１ｃは、ＳＲＡＭ又はＤＲＡＭなどによって構成されている。ＲＡＭ４０１ｃは、ＲＯＭ４０１ｂ及びハードディスク４０１ｄに記録されているコンピュータプログラムの読み出しに用いられる。また、これらのコンピュータプログラムを実行するときに、ＣＰＵ４０１ａの作業領域として利用される。
【００２２】
ハードディスク４０１ｄは、オペレーティングシステム及びアプリケーションプログラムなど、ＣＰＵ４０１ａに実行させるための種々のコンピュータプログラム及びそのコンピュータプログラムの実行に用いるデータがインストールされている。本実施の形態における測定オーダを登録したり、再検オーダリストを登録したりするためのアプリケーションプログラム４０４ａも、このハードディスク４０１ｄにインストールされている。
【００２３】
読出装置４０１ｅは、フレキシブルディスクドライブ、ＣＤ−ＲＯＭドライブ、又はＤＶＤ−ＲＯＭドライブなどによって構成されており、可搬型記録媒体４０４に記録されたコンピュータプログラム又はデータを読み出すことができる。また、可搬型記録媒体４０４には、本実施の形態におけるアプリケーションプログラム４０４ａが格納されており、コンピュータ４０１が、その可搬型記録媒体４０４からアプリケーションプログラム４０４ａを読み出し、そのアプリケーションプログラム４０４ａをハードディスク４０１ｄにインストールすることが可能である。
【００２４】
なお、前記アプリケーションプログラム４０４ａは、可搬型記録媒体４０４によって提供されるのみならず、電気通信回線（有線、無線を問わない）によってコンピュータ４０１と通信可能に接続された外部の機器から前記電気通信回線を通じて提供することも可能である。例えば、前記アプリケーションプログラム４０４ａがインターネット上のサーバコンピュータのハードディスク内に格納されており、このサーバコンピュータにコンピュータ４０１がアクセスして、そのアプリケーションプログラム４０４ａをダウンロードし、これをハードディスク４０１ｄにインストールすることも可能である。
【００２５】
ハードディスク４０１ｄには、例えば、米マイクロソフト社が製造販売するＷｉｎｄｏｗｓ（登録商標）などのグラフィカルユーザインタフェース環境を提供するオペレーティングシステムがインストールされている。以下の説明においては、本実施の形態におけるアプリケーションプログラム４０４ａは前記オペレーティングシステム上で動作するものとしている。
また、ハードディスク４０１ｄには、後述する、検体を分析又は再分析するためのオーダ情報が記憶されている。
【００２６】
入出力インタフェース４０１ｆは、例えば、ＵＳＢ、ＩＥＥＥ１３９４、ＲＳ−２３２Ｃなどのシリアルインタフェース、ＳＣＳＩ、ＩＤＥ、ＩＥＥＥ１２８４などのパラレルインタフェース、及びＤ／Ａ変換器、Ａ／Ｄ変換器などからなるアナログインタフェースなどから構成されている。入出力インタフェース４０１ｆには、キーボード４００ｃが接続されており、ユーザがそのキーボード４００ｃを使用することにより、コンピュータ４０１にデータを入力することが可能である。
【００２７】
通信インタフェース４０１ｇは、例えば、Ｅｔｈｅｒｎｅｔ（登録商標）インタフェースである。コンピュータ４０１は、その通信インタフェース４０１ｇにより、所定の通信プロトコルを使用して測定ユニットとの間でデータの送受信が可能である。
画像出力インタフェース４０１ｈは、ＬＣＤ又はＣＲＴなどで構成された表示部４００ｂに接続されており、ＣＰＵ４０１ａから与えられた画像データに応じた映像信号を表示部４００ｂに出力するようになっている。表示部４００ｂは、入力された映像信号にしたがって、画像（画面）を表示する。
【００２８】
［免疫分析装置の各機構の構成］
検体搬送部１０は、図１及び図２に示されるように、検体を収容した複数の試験管３が載置されたラック４を検体分注アーム５０の吸引位置１ａに対応する位置まで搬送するように構成されている。この検体搬送部１０は、未処理の検体を収容した試験管３が載置されたラック４をセットするためのラックセット部１０ａと、分注処理済みの検体を収容した試験管３が載置されたラック４を貯留するためのラック貯留部１０ｂとを有している。そして、未処理の検体を収容した試験管３を検体分注アーム５０の吸引位置１ａに対応する位置まで搬送することにより、検体分注アーム５０により試験管３内の血液などの検体の吸引が行われて、その試験管３を載置したラック４がラック貯留部１０ｂに貯留される。
【００２９】
緊急検体・チップ搬送部２０は、検体搬送部１０により搬送される検体に割り込んで検査する必要がある緊急検体を収容した試験管３を検体分注アーム５０の装着位置１ｂまで搬送するように構成されている。
ピペットチップ供給装置３０は、投入したピペットチップ２（図５参照）を、シュート３１を介して、１つずつ緊急検体・チップ搬送部２０の搬送ラック２３のチップ設置部２３ｂに載置する機能を有している。
【００３０】
チップ脱離部４０（図１及び図２参照）は、後述する検体分注アーム５０に装着されたピペットチップ２（図５参照）を脱離するために設けられている。
検体分注アーム５０（図１〜２参照）は、検体搬送部１０により吸引位置１ａに搬送された試験管３内の検体を、後述する１次反応部８０ａの回転テーブル部８１の保持部８１ａに保持されるキュベット８（図６参照）内に分注する機能を有している。この検体分注アーム５０は、図１〜２に示されるように、モータ５１と、モータ５１に接続される駆動伝達部５２と、駆動伝達部５２に軸５３を介して取り付けられるアーム部５４とを含んでいる。駆動伝達部５２は、モータ５１からの駆動力によりアーム部５４を、軸５３を中心に回動させるとともに、上下方向（Ｚ方向）に移動させることが可能なように構成されている。また、アーム部５４の先端部には、検体の吸引および吐出を行うノズル部５４ａが設けられている。そして、このノズル部５４ａの先端には、緊急検体・チップ搬送部２０の搬送ラック（図示せず）により搬送されるピペットチップ２（図５参照）が装着される。
【００３１】
試薬設置部６０ａ（図１〜２参照）は、捕捉抗体を含むＲ１試薬が収容される試薬容器５（図２参照）及び標識抗体を含むＲ３試薬が収容される試薬容器７（図２参照）を設置するための設置部６１と、設置部６１に設置される試薬容器５内のＲ１試薬や試薬容器７内のＲ３試薬に埃などの異物が侵入しないように設置部６１の上部に設けられる上面部６２と、上面部６２に取り付けられる開閉可能な蓋部６３とを含んでいる。また、上面部６２には、後述する試薬分注アーム９０ａのノズル９１ｅが挿入される溝部６２ａと、試薬分注アーム９０ｃのノズル９３ｅが挿入される溝部６２ｂ（図２参照）とが形成されている。また、設置部６１は、設置された試薬容器５及び試薬容器７をそれぞれ上面部６２の溝部６２ａ及び溝部６２ｂに対応する位置に搬送するために回転可能に構成されている。
【００３２】
試薬設置部６０ｂ（図１〜２参照）は、磁性粒子を含むＲ２試薬が収容される試薬容器６（図２参照）を設置するための設置部６４と、設置部６４に設置される試薬容器６内の試薬Ｒ２に埃などの異物が侵入しないように設置部６４の上部に設けられる上面部６５と、上面部６５に取り付けられる開閉可能な蓋部６６とを含んでいる。また、上面部６５には、後述する試薬分注アーム９０ｂのノズル９２ｅが挿入される溝部６５ａが形成されている。また、設置部６４は、設置された試薬容器６を上面部６５の溝部６５ａに対応する位置に搬送するために回転可能に構成されている。
【００３３】
キュベット供給部７０（図１〜２参照）は、複数のキュベット８（図６参照）を１次反応部８０ａの回転テーブル部８１の保持部８１ａに順次供給することが可能なように構成されている。このキュベット供給部７０は、複数のキュベット８を収容可能なホッパフィーダ７１と、ホッパフィーダ７１の下方に設けられる２つの誘導板７２と、誘導板７２の下端に配置された支持台７３と、供給用キャッチャ部７４とを含んでいる。
【００３４】
供給用キャッチャ部７４は、図１〜２に示されるように、凹部７３ｂにより受け取られたキュベット８（図６参照）を１次反応部８０ａの回転テーブル部８１の保持部８１ａに移送する機能を有している。供給用キャッチャ部７４は、モータ７４ａと、モータ７４ａに接続されるプーリ７４ｂと、プーリ７４ｂと所定の間隔を隔てて配置されるプーリ７４ｃと、プーリ７４ｂおよびプーリ７４ｃに装着される駆動伝達ベルト７４ｄと、プーリ７４ｃに軸を介して取り付けられるアーム部７４ｅと、アーム部７４ｅを上下方向に移動させるための駆動部７４ｆとを有している。また、アーム部７４ｅの先端部には、キュベット８を挟み込んで把持するためのチャック部７４ｇが設けられている。
【００３５】
１次反応部８０ａは、回転テーブル部８１の保持部８１ａに保持されるキュベット８を所定の期間（本実施形態では、１８秒）毎に所定の角度だけ回転移送するとともに、キュベット８内の検体、Ｒ１試薬及びＲ２試薬を攪拌するために設けられている。つまり、１次反応部８０ａは、キュベット８内で磁性粒子を有するＲ２試薬と検体中の抗原とを反応させるために設けられている。この１次反応部８０ａは、検体とＲ１試薬及びＲ２試薬とが収容されるキュベット８を回転方向に搬送するための回転テーブル部８１と、キュベット８内の検体、Ｒ１試薬及びＲ２試薬を攪拌するとともに、攪拌された検体、Ｒ１試薬及びＲ２試薬が収容されたキュベット８を後述するＢＦ分離部１００ａ（図１〜２参照）に搬送する容器搬送部８２とから構成されている。
【００３６】
前記容器搬送部８２は、回転テーブル部８１の中心部分に回転可能に設置されている。この容器搬送部８２は、回転テーブル部８１の保持部８１ａに保持されるキュベット８を把持するとともにキュベット８内の試料を攪拌する機能を有している。さらに、容器搬送部８２は、検体、Ｒ１試薬及びＲ２試薬を攪拌してインキュベーションした試料を収容したキュベット８をＢＦ分離部１００ａ（図１〜２参照）に搬送する機能も有している。
【００３７】
試薬分注アーム９０ａ（図１〜２参照）は、試薬設置部６０ａの設置部６１に設置される試薬容器５内のＲ１試薬を吸引するとともに、その吸引したＲ１試薬を１次反応部８０ａの検体が分注されたキュベット８内に分注するための機能を有している。この試薬分注アーム９０ａは、モータ９１ａと、モータ９１ａに接続される駆動伝達部９１ｂと、駆動伝達部９１ｂに軸９１ｃを介して取り付けられたアーム部９１ｄとを含んでいる。駆動伝達部９１ｂは、モータ９１ａからの駆動力によりアーム部９１ｄを、軸９１ｃを中心に回動させるとともに、上下方向に移動させることが可能なように構成されている。また、アーム部９１ｄの先端部には、試薬容器５内のＲ１試薬の吸引および吐出を行うためのノズル９１ｅが取り付けられている。つまり、ノズル９１ｅが試薬設置部６０ａの上面部６２の溝部６２ａを介して試薬容器５内のＲ１試薬を吸引した後、検体が分注されたキュベット８内に吸引されたＲ１試薬が分注される。
【００３８】
試薬分注アーム９０ｂ（図１〜２参照）は、試薬設置部６０ｂの設置部６４に設置される試薬容器６内のＲ２試薬を１次反応部８０ａの検体及びＲ１試薬が分注されたキュベット８内に分注するための機能を有している。この試薬分注アーム９０ｂは、モータ９２ａと、モータ９２ａに接続される駆動伝達部９２ｂと、駆動伝達部９２ｂに軸９２ｃを介して取り付けられたアーム部９２ｄとを含んでいる。駆動伝達部９２ｂは、モータ９２ａからの駆動力によりアーム部９２ｄを、軸９２ｃを中心に回動させるとともに、上下方向（Ｚ方向）に移動させることが可能なように構成されている。また、アーム部９２ｄの先端部には、試薬容器６内のＲ２試薬の吸引及び吐出を行うためのノズル９２ｅが取り付けられている。したがって、ノズル９２ｅが試薬設置部６０ｂの上面部６５の溝部６５ａを介して試薬容器６内のＲ２試薬を吸引した後、検体が分注されたキュベット８内に吸引されたＲ２試薬が分注される。
【００３９】
本実施の形態では、ＢＦ分離部１００ａ（図１〜２参照）は、１次反応部８０ａの容器搬送部８２によって搬送されたキュベット８（図６参照）内の試料から未反応のＲ１試薬（不要成分）と磁性粒子とを分離するために設けられている。このＢＦ分離部１００ａは、図７に示されるように、キュベット８を設置するとともに回転方向に搬送するための集磁部１０１と、キュベット８内の試料を攪拌するための攪拌機構部１０２と、キュベット８内の試料を吸引するとともに洗浄液を吐出する分離機構部１０３と、ノズル洗浄部１０４ａ及び１０４ｂとを含んでいる。
【００４０】
搬送キャッチャ部１１０（図１〜２参照）は、未反応のＲ１試薬などが分離されたＢＦ分離部１００ａの集磁部１０１のキュベット８（図６参照）を２次反応部８０ｂの回転テーブル部８３の保持部８３ａに搬送する機能を有している。搬送キャッチャ部１１０は、モータ１１０ａと、モータ１１０ａに接続されるプーリ１１０ｂと、プーリ１１０ｂと所定の間隔を隔てて配置されるプーリ１１０ｃと、プーリ１１０ｂ及びプーリ１１０ｃに装着される駆動伝達ベルト１１０ｄと、プーリ１１０ｃに軸を介して取り付けられるアーム部１１０ｅと、アーム部１１０ｅを上下方向に移動させるための駆動部１１０ｆとを有している。また、アーム部１１０ｅの先端部には、キュベット８を挟み込んで把持するためのチャック部１１０ｇが設けられている。
【００４１】
２次反応部８０ｂ（図１〜２参照）は、１次反応部８０ａと同様の構成を有しており、回転テーブル部８３の保持部８３ａに保持されるキュベット８を所定の期間（本実施の形態では、１８秒）毎に所定の角度だけ回転移送するとともに、キュベット８内の検体、Ｒ１試薬、Ｒ２試薬、Ｒ３試薬及びＲ５試薬を攪拌するために設けられている。つまり、２次反応部８０ｂは、キュベット８内で標識抗体を有するＲ３試薬と検体中の抗原とを反応させるとともに、発光基質を有するＲ５試薬とＲ３試薬の標識抗体とを反応させるために設けられている。この２次反応部８０ｂは、検体、Ｒ１試薬、Ｒ２試薬、Ｒ３試薬及びＲ５試薬が収容されるキュベット８を回転方向に搬送するための回転テーブル部８３と、キュベット８内の検体、Ｒ１試薬、Ｒ２試薬、Ｒ３試薬及びＲ５試薬を攪拌するとともに、攪拌された検体などが収容されたキュベット８を後述するＢＦ分離部１００ｂに搬送する容器搬送部８４とから構成されている。さらに、容器搬送部８４は、ＢＦ分離部１００ｂにより処理されたキュベット８を再び回転テーブル部８３の保持部８３ａに搬送する機能を有している。なお、２次反応部８０ｂの詳細構造は、１次反応部８０ａと同様であるので、その説明を省略する。
【００４２】
試薬分注アーム９０ｃ（図１〜２参照）は、試薬設置部６０ａの設置部６１に設置される試薬容器７内のＲ３試薬を吸引するとともに、その吸引されたＲ３試薬を２次反応部８０ｂの検体、Ｒ１試薬及びＲ２試薬が分注されたキュベット８内に分注するための機能を有している。この試薬分注アーム９０ｃは、モータ９３ａと、モータ９３ａに接続される駆動伝達部９３ｂと、駆動伝達部９３ｂに軸９３ｃを介して取り付けられたアーム部９３ｄとを含んでいる。駆動伝達部９３ｂは、モータ９３ａからの駆動力によりアーム部９３ｄを、軸９３ｃを中心に回動させるとともに、上下方向に移動させることが可能なように構成されている。また、アーム部９３ｄの先端部には、試薬容器７内のＲ３試薬の吸引及び吐出を行うためのノズル９３ｅが取り付けられている。つまり、ノズル９３ｅが試薬設置部６０ａの上面部６２の溝部６２ａを介して試薬容器７内のＲ３試薬を吸引した後、検体、Ｒ１試薬及びＲ２試薬が分注されたキュベット８内に吸引されたＲ３試薬が分注される。
【００４３】
ＢＦ分離部１００ｂ（図１〜２参照）は、ＢＦ分離部１００ａと同様の構成を有しており、２次反応部８０ｂの容器搬送部８４によって搬送されたキュベット８（図７参照）内の試料から未反応のＲ３試薬（不要成分）と磁性粒子とを分離するために設けられている。なお、ＢＦ分離部１００ｂの詳細構造は、ＢＦ分離部１００ａと同様であるので、その説明を省略する。
【００４４】
試薬分注アーム９０ｄ（図１〜２参照）は、免疫分析装置１の下部に設置される図示しない試薬容器内の発光基質を含むＲ５試薬を２次反応部８０ｂの検体、Ｒ１試薬、Ｒ２試薬及びＲ３試薬が収容されたキュベット８内に分注するための機能を有している。この試薬分注アーム９０ｄは、モータ９４ａと、モータ９４ａに接続される駆動伝達部９４ｂと、駆動伝達部９４ｂに軸を介して取り付けられたアーム部９４ｃとを含んでいる。駆動伝達部９４ｂは、モータ９４ａからの駆動力によりアーム部９４ｃを、軸を中心に回動させるとともに、上下方向（Ｚ方向）に移動させることが可能なように構成されている。また、アーム部９４ｃの先端部には、免疫分析装置１の下部に設置される図示しない試薬容器内からＲ５試薬を回転テーブル部８３の保持部８３ａに保持されるキュベット８内に吐出するためのチューブ９４ｄが取り付けられている。
【００４５】
検出部１２０（図１〜２参照）は、所定の処理が行なわれた検体の抗原に結合する標識抗体と発光基質との反応過程で生じる光を光電子増倍管（Ｐｈｏｔｏ  Ｍｕｌｔｉｐｌｉｅｒ  Ｔｕｂｅ）で取得することにより、その検体に含まれる抗原の量を測定するために設けられている。この検出部１２０は、検体、Ｒ１試薬、Ｒ２試薬、Ｒ３試薬及びＲ５試薬が収容されたキュベット８を設置するための設置部１２１と、２次反応部８０ｂの回転テーブル部８３の保持部８３ａに保持されるキュベット８（図６参照）を搬送するための搬送機構部１２２とから構成されている。また、設置部１２１には、測定時に、設置部１２１に設置されるキュベット８に外部からの光が入射しないように蓋部１２３が開閉可能に設けられている。
【００４６】
廃棄部１３０（図１〜２参照）は、検出部１２０により測定された測定済の試料を収容するキュベット８（図６参照）を廃棄するために設けられている。廃棄部１３０は、キュベット８内の測定済の試料を吸引するための吸引部１３１（図２参照）と、吸引部１３１とは所定の間隔を隔てた位置に設けられる廃棄用孔１３２とにより構成されている。これにより、測定済の試料を吸引部１３１により吸引した後、使用済みキュベット８を廃棄用孔１３２を介して免疫分析装置１の下部に配置される図示しないダストボックスに廃棄することが可能となる。
【００４７】
［全体プロセス］
免疫分析装置１による分析処理の全体のフローを図８に示す。なお、以下のフローチャート中の判断において、「Ｙｅｓ」及び「Ｎｏ」を図示しない場合は、下がＹｅｓ、右（左）がＮｏである。また、以下に説明する処理は、制御部４００ａ及び本体制御部１４０によって制御される処理である。
【００４８】
まず、免疫分析装置１の電源が投入されると、本体制御部１４０の初期化が行われる（ステップＳ１）。この初期化動作では、プログラムの初期化や免疫分析装置１の駆動部分の原位置復帰などが行われる。
一方、前記免疫分析装置１に通信可能に接続されたパーソナルコンピュータ４０１の電源が投入されると、当該パーソナルコンピュータ４０１の制御部４００ａの初期化が行われる（ステップＳ１０１）。この初期化動作では、プログラムの初期化などが行われる。初期化が完了すると、免疫分析装置１を用いて分析を行う検体のオーダ登録が行われる（ステップＳ１０２）。このオーダ登録には、初めて分析を行う検体について、ユーザが検体番号や測定項目などの情報をキーボード（入力手段）４００ｃから入力することで行う登録と、再検を行う検体について、ユーザが後述する再検オーダリストに基づいて行う登録とが含まれる。
【００４９】
ついでステップＳ１０３において、制御部４００ａによって、測定開始の指示が行われたか否かが判断される。制御部４００ａは、測定開始の指示が行われたと判断した場合（Ｙｅｓ）にはステップＳ１０４へ処理を進め、測定開始の指示が行われなかったと判断した場合（Ｎｏ）にはステップＳ１１５へ処理を進める。そして、ステップＳ１０４において、測定開始信号が制御部４００ａから本体制御部１４０へ送信される。
ついでステップＳ２において、本体制御部１４０によって、測定開始信号の受信が行われたか否かが判断される。本体制御部１４０が、測定開始信号の受信が行われたと判断した場合（Ｙｅｓ）にはステップＳ３へ処理を進め、測定開始信号の受信が行われなかったと判断した場合（Ｎｏ）にはステップＳ１４へ処理を進める。
【００５０】
ついでステップＳ３において、検体搬送部１０により、検体を収容した複数の試験管３が載置されたラック４が検体分注アーム５０の吸引位置１ａに対応する位置まで搬送される。前記ラック４には、当該ラック４を特定するための情報（ラック番号）が記録された、記録部であるバーコードが付されており、このラック４を所定の位置まで搬送する搬送路に設けられた検出部（図示せず）によって、前記バーコードが読み取られる（ステップＳ４）。読み取られたラック番号は、ステップＳ５において、本体制御部１４０によってパーソナルコンピュータ４０１側に送信される。
【００５１】
ついでステップＳ１０５において、制御部４００ａによって、ラック番号の受信が行われたか否かが判断される。制御部４００ａが、ラック番号の受信が行われたと判断した場合（Ｙｅｓ）にはステップＳ１０６へ処理を進め、ラック番号の受信が行われなかったと判断した場合（Ｎｏ）にはステップＳ１１４へ処理を進める。
ついでステップＳ１０６において、制御部４００ａによって、オーダページの検索が行われる。すなわち、制御部４００ａによって、ハードディスク４０１ｄの記憶領域（第２記憶部）に記憶されているオーダ情報から、ステップＳ１０５において受信したラック番号に係るオーダ情報が検索される。
【００５２】
前記試験管３には、前記ラック４と同様に当該試験管３内の検体を特定するための情報（検体番号）が記録された、記録部であるバーコードが付されており、試験管３を載置したラック４を所定の位置まで搬送する搬送路に設けられた検出部（図示せず）によって、前記バーコードが読み取られる（ステップＳ６）。読み取られた検体番号は、ステップＳ７において、パーソナルコンピュータ４０１側に送信される。なお、試験管３とラック４のバーコードは、別々の検出部で読み取るようにしてもよいし、共通の検出部で読み取るようにしてもよい。
【００５３】
ついでステップＳ１０７において、制御部４００ａによって、検体番号の受信が行われたか否かの判断をする。制御部４００ａが、検体番号の受信が行われたと判断した場合（Ｙｅｓ）にはステップＳ１０８へ処理を進め、検体番号の受信が行われなかったと判断した場合（Ｎｏ）にはステップＳ１１３へ処理を進める。
ついでステップＳ１０８において、制御部４００ａによって、オーダの検索が行われる。すなわち、制御部４００ａによって、ステップＳ１０６において検索された、特定のラック番号に係るオーダ情報から、ステップＳ１０７において受信した検体番号に係るオーダ情報が検索される。そして、ステップＳ１０９において、制御部４００ａによって、オーダの指示が本体制御部１４０へ送信される。
【００５４】
ついでステップＳ８において、本体制御部１４０によって、オーダ指示の受信が行われたか否かが判断される。本体制御部１４０が、オーダ指示の受信が行われたと判断した場合（Ｙｅｓ）にはステップＳ９へ処理を進める。
ついでステップＳ９において、オーダされた項目についての測定が行われる。そして、測定結果が、本体制御部１４０によりパーソナルコンピュータ４０１側に送信される（ステップＳ１０）。
【００５５】
ついでステップＳ１１０において、制御部４００ａによって、測定結果の受信が行われたか否かが判断される。制御部４００ａが、測定結果の受信が行われたと判断した場合（Ｙｅｓ）にはステップＳ１１１へ処理を進める。
ステップＳ１１１では、本体制御部１４０側から送信された測定結果の解析処理が行われる。すなわち、制御部４００ａは、送信された測定結果と、予め標準試料を用いて作成され、前記ハードディスク４０１ｄに記憶されている検量線とから、測定対象の抗原の濃度を換算し、その結果（分析結果）を記憶する。また、制御部４００ａは、分析結果の出力を行う。
【００５６】
ついでステップＳ１１２において、ステップＳ１１１で得られた分析結果に基づいて、再分析ないしは再測定が必要な検体のオーダリストへの登録が行われる。再分析は、検体の測定結果が所定の範囲（レンジ）外の値となった場合（オーバレンジ）や、測定エラー（試薬無しによる特定項目の測定スキップ、即時停止エラーによる測定部停止など）により有用な測定結果が得られなかった場合などに行われる。前記所定の範囲（レンジ）は測定項目毎に予め設定されており、本実施の形態では、この設定は、ユーザにより行なうことができるようになっている。なお、ステップＳ１１２における「登録」は、再検オーダリストへの登録であって、測定のためのオーダの登録とは異なる。
【００５７】
ついでステップＳ１１３において、制御部４００ａによって、ラック４に保持されているすべての試験管３中の検体について測定が行われたか否かが判断される。制御部４００ａは、ラック４に保持されているすべての試験管３中の検体について測定が行われたと判断した場合（Ｙｅｓ）にはステップＳ１１４へ処理を進め、ラック４に保持されているすべての試験管３中の検体については測定が行われていないと判断した場合（Ｎｏ）にはステップＳ１０７に戻る。
【００５８】
ついでステップＳ１１４において、制御部４００ａによって、すべてのラック４について測定が行われたか否かが判断される。制御部４００ａは、すべてのラック４について測定が行われたと判断した場合（Ｙｅｓ）にはステップＳ１１５へ処理を進め、すべてのラック４については測定が行われていないと判断した場合（Ｎｏ）にはステップＳ１０５に戻る。
ついでステップＳ１１５において、制御部４００ａによって、パーソナルコンピュータ４０１をシャットダウンする指示を受け付けているか否かが判断される。制御部４００ａは、シャットダウンする指示を受け付けていると判断した場合（Ｙｅｓ）にはステップＳ１１６に処理を進め、シャットダウンする指示を受け付けていないと判断した場合（Ｎｏ）にはステップＳ１０２に戻る。
【００５９】
ついでステップＳ１１６において、シャットダウン信号が制御部４００ａから本体制御部１４０へ送信される。
そして、ステップＳ１１７において、制御部４００ａにより、パーソナルコンピュータ４０１のシャットダウンが行われ、処理が終了する。
【００６０】
また、ステップＳ１１において、本体制御部１４０によって、ラック４に保持されているすべての試験管３中の検体について測定が行われたか否かが判断される。本体制御部１４０は、ラック４に保持されているすべての試験管３中の検体について測定が行われたと判断した場合（Ｙｅｓ）にはステップＳ１３へ処理を進め、ラック４に保持されているすべての試験管３中の検体については測定が行われていないと判断した場合（Ｎｏ）には、ラック４を所定距離（次に測定される検体を収容する試験管が被吸引位置に到達する距離）だけ搬送し（ステップＳ１２）、ステップＳ６に戻る。
【００６１】
ついでステップＳ１３において、本体制御部１４０によって、すべてのラック４について測定が行われたか否かが判断される。本体制御部１４０は、すべてのラック４について測定が行われたと判断した場合（Ｙｅｓ）にはステップＳ１４へ処理を進め、すべてのラック４については測定が行われていないと判断した場合（Ｎｏ）にはステップＳ２に戻る。
ついでステップＳ１４において、本体制御部１４０によって、シャットダウン信号の受信が行われたか否かが判断される。本体制御部１４０が、シャットダウン信号の受信が行われたと判断した場合（Ｙｅｓ）にはステップＳ１５へ処理を進め、シャットダウン信号の受信が行われていないと判断した場合（Ｙｅｓ）にはステップＳ２に戻る。
【００６２】
そして、ステップＳ１５において、本体制御部１４０により、免疫分析装置１のシャットダウンが行われ、処理が終了する。
【００６３】
［測定プロセス］
図９は、ステップＳ９における測定フローを示す図であり、図１０は、図１に示される免疫分析装置で測定される検体の抗原と各種試薬との反応を示す模式図である。
（キュベット供給工程）  まず、図１〜２に示されるように、キュベット供給部７０のホッパフィーダ７１のモータ７１ｂを駆動することにより、ホッパ７１ａから誘導板７２を通過して支持台７３の凹部７３ｂにキュベット８（図６参照）が導かれる。そして、支持台７３の凹部７３ｂに収容されたキュベット８は、供給用キャッチャ部７４により、１次反応部８０ａの回転テーブル部８１の保持部８１ａに搬送される。
【００６４】
（Ｒ１試薬分注工程）  そして、試薬分注アーム９０ａは、試薬設置部６０ａの設置部６１に設置される試薬容器５内のＲ１試薬を吸引した後、１次反応部８０ａ側に回動して、供給用キャッチャ部７４により搬送されたキュベット８に、吸引したＲ１試薬を吐出する。なお、図９〜１０に示されるように、Ｒ１試薬には、検体に含まれる抗原に結合する捕捉抗体が含まれている。
【００６５】
（検体分注工程）  そして、検体分注アーム５０は、緊急検体・チップ搬送部２０の搬送ラックに搬送されるピペットチップ２（図３参照）を装着した後、検体搬送部１０により吸引位置１ａ（図１〜２参照）まで搬送されたラック４に載置される試験管３から血液などの検体を吸引する。そして、検体分注アーム５０が１次反応部８０ａ側に回動するとともに、回転テーブル部８１の保持部８１ａのＲ１試薬を収容したキュベット８に吸引した検体を吐出する。
【００６６】
（Ｒ１試薬及び検体の攪拌工程）  そして、１次反応部８０ａの容器搬送部８２が、Ｒ１試薬及び検体が収容されたキュベット８を攪拌する。
【００６７】
（インキュベーション工程（図９〜１０に示される反応１））  ついで、攪拌されたＲ１試薬及び検体は、１８秒毎に所定の角度だけ回転する回転テーブル部８１の保持部８１ａのキュベット８内で、所定時間インキュベーションされる。したがって、Ｒ１試薬と検体との反応に約１６２秒（１８秒×９）間要する場合には、Ｒ１試薬と検体とを収容したキュベット８は、検体分注後に９ピッチ分回転移送される。このように、キュベット８が回転移送される間に、捕捉抗体（Ｒ１試薬）と検体の抗原とが結合する。
【００６８】
（Ｒ２試薬分注工程）  そして、試薬分注アーム９０ｂは、試薬設置部６０ｂの設置部６４に設置される試薬容器６内のＲ２試薬を吸引した後、１次反応部８０ａ側に回動して、所定時間インキュベーションされたＲ１試薬および検体を収容するキュベット８に吸引したＲ２試薬を吐出する。なお、図９〜１０に示されるように、Ｒ２試薬には、検体中の抗原が結合した捕捉抗体に結合する磁性粒子が含まれている。
【００６９】
（Ｒ２試薬及び検体の攪拌工程）  そして、１次反応部８０ａの容器搬送部８２が、前述したＲ１試薬及び検体の攪拌工程と同様にして、Ｒ１試薬、検体及びＲ２試薬が収容されたキュベット８を攪拌する。
【００７０】
（インキュベーション工程（図８〜９に示される反応２））  そして、攪拌されたＲ１試薬、検体及びＲ２試薬は、回転テーブル部８１の保持部８１ａのキュベット８内で、所定時間インキュベーションされる。したがって、検体の抗原と結合した捕捉抗体（Ｒ１試薬）と磁性粒子（Ｒ２試薬）との反応に約９０秒（１８秒×５）間要する場合には、Ｒ１試薬、検体およびＲ２試薬を収容したキュベット８は、Ｒ２試薬分注後に５ピッチ分回転移送される。このように、キュベット８が回転移送される間に、磁性粒子（Ｒ２試薬）と検体の抗原が結合した捕捉抗体（Ｒ１試薬）とが結合する。
【００７１】
（１次反応部８０ａからＢＦ分離部１００ａへの搬送工程）  そして、インキュベーションされたＲ１試薬、検体及びＲ２試薬を収容したキュベット８は、１次反応部８０ａの容器搬送部８２により、図１０に示されるＢＦ分離部１００ａのキュベット設置孔１０１ｄに搬送される。
【００７２】
（ＢＦ分離部１００ａにおける第１洗浄工程）  次に、本実施形態では、集磁部１０１の設置部１０１ａのキュベット設置孔１０１ｄに設置されたキュベット８は、設置部１０１ａの回転に伴って回転方向に移送されて、攪拌機構部１０２の１次攪拌部１０２ｄに対応する位置に配置される。この際、設置部１０１ａのキュベット設置孔１０１ｄに保持されたキュベット８内の磁性粒子は、キュベット８の側方に配置される磁石１０１ｂにより集磁される。そして、キュベット８内に１次分離部１０３ａの１次洗浄部１０３ｅのノズル部１０３ｆを挿入した後、キュベット８内の試料を吸引することにより、磁性粒子及び当該磁性粒子に捕捉抗体を介して結合する抗原を除く不要成分を除去する。しかし、第１洗浄工程では、不要成分の一部が集磁部１０１の磁石１０１ｂに引き寄せられる磁性粒子に巻き込まれるように磁性粒子とともにキュベット８の内壁に留まることがあり、不要成分を十分に除去することが困難であるので、本実施の形態では、不要成分を十分に除去するために、以下に説明する攪拌工程および第２洗浄工程が行われる。
【００７３】
（ＢＦ分離部１００ａにおける攪拌工程（１回目））  ここで、本実施の形態では、ＢＦ分離部１００ａにおいて第１洗浄工程が行われたキュベット８内に洗浄液を供給して、攪拌を行う。これにより、磁性粒子に巻き込まれて、磁性粒子とともにキュベット８の内壁に留まっていた不要成分を分散させることが可能となる。
（ＢＦ分離部１００ａにおける第２洗浄工程（１回目））  また、本実施の形態では、ＢＦ分離部１００ａにおいて攪拌されたキュベット８を再び集磁部１０１のキュベット設置孔１０１ｄに保持させることにより、磁性粒子をキュベット８の側方に配置される磁石１０１ｂ側に集磁する。そして、キュベット８内の磁性粒子を集磁した後、洗浄液及び不要成分を排出する。
【００７４】
（ＢＦ分離部１００ａにおける攪拌工程（２回目））  さらに、本実施の形態では、ＢＦ分離部１００ａにおいて１回目の第２洗浄工程が行われたキュベット８内に再び洗浄液を供給して、攪拌を行う。
【００７５】
（ＢＦ分離部１００ａにおける第２洗浄工程（２回目））  そして、本実施の形態では、ＢＦ分離部１００ａにおいて攪拌されたキュベット８を再び集磁部１０１のキュベット設置孔１０１ｄに保持させることにより、磁性粒子をキュベット８の側方に配置される磁石１０１ｂ側に集磁する。そして、キュベット８内の磁性粒子を集磁した後、洗浄液及び僅かに残余する不要成分を確実に排出する。
その後、同様の撹拌行程及び第２洗浄工程をさらに２回ずつ実施する。この後、不要成分が除去された固相の磁性粒子を主とする試料を収容したキュベット８は、図１〜２に示されるように、ＢＦ分離部１００ａの設置部１０１ａの回転に伴って回転方向に移送されて、搬送キャッチャ部１１０のチャック部１１０ｇにより把持される位置まで搬送される。
【００７６】
（ＢＦ分離部１００ａから２次反応部８０ｂへの搬送工程）  そして、ＢＦ分離部１００ａにより不要成分と磁性粒子との分離が行われたキュベット８は、図１〜２に示されるように、搬送キャッチャ部１１０のチャック部１１０ｇによって把持されて、２次反応部８０ｂの回転テーブル部８３の保持部８３ａに搬送される。
【００７７】
（Ｒ３試薬分注工程）  そして、試薬分注アーム９０ｃは、試薬設置部６０ａの設置部６１に設置される試薬容器７内のＲ３試薬を吸引した後、２次反応部８０ｂ側に回動して、捕捉抗体（Ｒ１試薬）を介して結合した磁性粒子（Ｒ２試薬）と検体の抗原とを収容したキュベット８に吸引した約１００μｌのＲ３試薬を吐出する。なお、図９〜１０に示されるように、Ｒ３試薬には、検体中の抗原に結合する標識抗体が含まれている。
【００７８】
（Ｒ３試薬及び検体の撹拌工程）
そして、２次反応部８０ｂの容器搬送部８４が、上述したＲ１試薬および検体の攪拌工程と同様にして、捕捉抗体（Ｒ１試薬）、抗原（検体）、磁性粒子（Ｒ２試薬）および標識抗体を含むＲ３試薬が収容されたキュベット８を攪拌する。
【００７９】
（インキュベーション工程（図９〜１０に示される反応３））  そして、攪拌された捕捉抗体（Ｒ１試薬）、抗原（検体）、磁性粒子（Ｒ２試薬）及び標識抗体を含むＲ３試薬は、図１〜２に示されるように、回転テーブル部８３の保持部８３ａのキュベット８内で、所定時間インキュベーションされる。したがって、検体の抗原と標識抗体（Ｒ３試薬）との反応に約１９８秒（１８秒×１１）間要する場合には、捕捉抗体（Ｒ１試薬）、抗原（検体）、磁性粒子（Ｒ２試薬）及び標識抗体を含むＲ３試薬を収容したキュベット８は、Ｒ３試薬分注後に１１ピッチ分回転移送される。このように、キュベット８が回転移送される間に、捕捉抗体（Ｒ１試薬）を介して磁性粒子（Ｒ２試薬）と結合した抗原と標識抗体（Ｒ３試薬）とが結合する。
【００８０】
（２次反応部８０ｂからＢＦ分離部１００ｂへの搬送工程）  そして、インキュベーションされた捕捉抗体（Ｒ１試薬）、抗原（検体）、磁性粒子（Ｒ２試薬）及び標識抗体を含むＲ３試薬を収容したキュベット８は、前述した１次反応部８０ａからＢＦ分離部１００ａへの搬送工程と同様にして、２次反応部８０ｂの容器搬送部８４により、ＢＦ分離部１００ｂのキュベット設置孔１０１ｄに搬送される。
【００８１】
（ＢＦ分離部１００ｂにおける第１洗浄工程、攪拌工程、第２洗浄工程）  次に、本実施の形態では、前記したＢＦ分離部１００ａにおける第１洗浄工程と４回の攪拌工程及び第２洗浄工程と同様に、ＢＦ分離部１００ｂにおいて第１洗浄工程と４回の攪拌工程及び第２洗浄工程が行われる。これにより、検体の抗原と結合しない標識抗体を含むＲ３試薬（不要成分）の十分な除去を行うことが可能となる。この後、不要成分が除去された標識抗体が結合した抗原を含む試料を収容したキュベット８は、ＢＦ分離部１００ｂの集磁部の回転に伴って回転方向に移送されて、２次反応部８０ｂの容器搬送部８４により搬送可能な位置まで搬送される。
【００８２】
（ＢＦ分離部１００ａから２次反応部８０ｂへの搬送工程）  そして、ＢＦ分離部１００ｂにより不要成分と磁性粒子との分離が行われたキュベット８は、図１〜２に示されるように、２次反応部８０ｂの容器搬送部８４により、再び回転テーブル部８３の保持部８３ａに搬送される。
【００８３】
（Ｒ４試薬分注工程）
そして、試薬分注アームは、免疫分析装置１の下部に設置される図示しない試薬容器内のＲ４試薬（分散液）を、捕捉抗体（Ｒ１試薬）、磁性粒子（Ｒ２試薬）、標識抗体（Ｒ３試薬）及び検体の抗原を収容したキュベット８に吐出する。
【００８４】
（Ｒ４試薬及び標識抗体の攪拌工程）  そして、２次反応部８０ｂの容器搬送部８４が、前述したＲ１試薬及び検体の攪拌工程と同様にして、捕捉抗体（Ｒ１試薬）、抗原（検体）、磁性粒子（Ｒ２試薬）、標識抗体（Ｒ３試薬）及びＲ４試薬が収容されたキュベット８を攪拌する。
【００８５】
（Ｒ５試薬分注工程）  そして、試薬分注アーム９０ｄは、免疫分析装置１の下部に設置される図示しない試薬容器内の発光基質を含むＲ５試薬をチューブ９４ｄを介して、捕捉抗体（Ｒ１試薬）、磁性粒子（Ｒ２試薬）、標識抗体（Ｒ３試薬）、分散液（Ｒ４試薬）及び検体の抗原を収容したキュベット８に、約１００μｌだけ吐出する。なお、図９〜１０に示されるように、Ｒ５試薬には、Ｒ３試薬の標識抗体と反応して発光する発光基質が含まれている。
【００８６】
（Ｒ５試薬及び標識抗体の攪拌工程）  そして、２次反応部８０ｂの容器搬送部８４が、前述したＲ１試薬及び検体の攪拌工程と同様にして、捕捉抗体（Ｒ１試薬）、抗原（検体）、磁性粒子（Ｒ２試薬）、標識抗体（Ｒ３試薬）、分散液（Ｒ４試薬）及び発光基質を含むＲ５試薬が収容されたキュベット８を攪拌する。
【００８７】
（インキュベーション工程（図１４および図１５に示した反応４））
そして、攪拌された捕捉抗体（Ｒ１試薬）、抗原（検体）、磁性粒子（Ｒ２試薬）、分散液（Ｒ４試薬）標識抗体及び発光基質を含むＲ５試薬は、回転テーブル部８３の保持部８３ａのキュベット８内で、所定時間インキュベーションされる。したがって、検体の抗原に結合した標識抗体（Ｒ３試薬）と発光基質（Ｒ５試薬）との反応に約３７８秒（１８秒×２１）間要する場合には、捕捉抗体（Ｒ１試薬）、抗原（検体）、磁性粒子（Ｒ２試薬）、標識抗体（Ｒ３試薬）及び発光基質を含むＲ５試薬を収容したキュベット８は、Ｒ５試薬分注後に２１ピッチ分回転移送される。このように、キュベット８が回転移送される間に、標識抗体（Ｒ３試薬）と発光基質（Ｒ５試薬）との反応が進行する。
【００８８】
（測定工程）  その後、図１〜２に示されるように、インキュベーションされた捕捉抗体（Ｒ１試薬）、抗原（検体）、磁性粒子（Ｒ２試薬）、標識抗体（Ｒ３試薬）、分散液（Ｒ４試薬）及び発光基質を含むＲ５試薬を収容したキュベット８は、検出部１２０の搬送機構部１２２により、設置部１２１に搬送される。そして、測定時に、蓋部１２３を閉めることにより、設置部１２１の内部は外部からの光が遮断された状態となるので、外部からの光が遮断された条件下で測定を行うことが可能となる。この際、設置部１２１に設置されたキュベット８内の磁性粒子は、磁石側に引き寄せられている。これにより、Ｒ３試薬の標識抗体とＲ５試薬の発光基質との反応過程で生じる発光量を測定する際に、磁性粒子が発光量の測定を妨げるのを抑制することが可能となる。このような条件下で、Ｒ３試薬の標識抗体とＲ５試薬の発光基質との反応過程で生じる発光量（光子の数に比例する量）を光電子増倍管（図示せず）で取得する。取得された測定結果は、制御部４００ａを有するパーソナルコンピュータ４０１に送信される。
【００８９】
（廃棄工程）  ついで、図１〜２に示されるように、測定が行われた測定済の試料が収容されたキュベット８は、検出部１２０の搬送機構部１２２により、廃棄部１３０の吸引部１３１（図２参照）の下方の位置に搬送される。そして、廃棄部１３０の吸引部１３１が下方に移動して、測定済の試料を吸引し、キュベット８内を空にする。その後、空のキュベット８を把持した検出部１２０の搬送機構部１２２を回動させることにより、廃棄部１３０の廃棄用孔１３２に対応する位置まで搬送した後、廃棄用孔１３２に空のキュベット８を落下させて、廃棄用孔１３２を介して免疫分析装置１の下部に配置される図示しないダストボックスに使用済みのキュベット８を廃棄する。
【００９０】
［再検オーダリストの登録処理］
前記ステップＳ１１２における再検オーダリストの登録処理のフローを図１１に示す。
まず、ステップＳ２０１において、制御部４００ａによって、オーダされた分析項目のうち最初の分析項目が選択される。１回の測定で、通常、複数の分析項目が測定されるが、再分析が必要であるか否かは、分析項目毎に判断する必要がある。したがって、すべての種類の分析項目に予め番号が付され、この番号の順番に従って分析項目が選択される。
【００９１】
ついでステップＳ２０２において、制御部４００ａによって、分析結果が、予め設定された再希釈測定の条件に合致するか否かが判断される。制御部４００ａは、予め設定された再希釈測定の条件に合致すると判断した場合（Ｙｅｓ）にはステップＳ２０３へ処理を進め、予め設定された再希釈測定の条件に合致しないと判断した場合（Ｎｏ）にはステップＳ２０６へ処理を進める。
ついでステップＳ２０３において、制御部４００ａによって、前記分析項目（ステップＳ２０２において再希釈測定の条件に合致すると判断された分析項目）の再検オーダが、リフレックステストの対象として再検オーダリストに登録されているか否かが判断される。制御部４００ａは、リフレックステストの対象として再検オーダリストに登録されていると判断した場合（Ｙｅｓ）にはステップＳ２０４へ処理を進め、リフレックステストの対象として再検オーダリストに登録されていないと判断した場合（Ｎｏ）にはステップＳ２０５へ処理を進める。
【００９２】
そして、ステップＳ２０４において、制御部４００ａによって、リフレックステストの対象である前記分析項目の再検オーダが削除されるとともに、当該分析項目についての再希釈測定の希釈倍率の再検オーダが生成され、再検オーダリストに登録される。
一方、前記分析項目が、リフレックステストの対象として再検オーダリストに登録されていないと判断された場合、ステップＳ２０５において、制御部４００ａによって、当該分析項目についての再希釈測定の希釈倍率の再検オーダが生成され、再検オーダリストに登録される。
【００９３】
本実施の形態では、ある分析項目について再分析を行う場合、（１）検体の希釈倍率を初検における希釈倍率から変更して行う再希釈測定、（２）初検の希釈倍率と同じ希釈倍率で行う再測定、及び（３）リフレックステストとしての再測定の順で、優先順位が低くなるようにしている。すなわち、例えば、ある分析項目の分析結果が、再希釈測定の条件及び再測定の条件のいずれにも合致する場合は、再希釈測定の方が優先して行われ、再測定の方は行われない。
【００９４】
ついでステップＳ２０６において、制御部４００ａによって、分析結果が、予め設定された再測定の条件に合致するか否かが判断される。制御部４００ａは、予め設定された再測定の条件に合致すると判断した場合（Ｙｅｓ）にはステップＳ２０７へ処理を進め、予め設定された再測定の条件に合致しないと判断した場合（Ｎｏ）にはステップＳ２１０へ処理を進める。
ついでステップＳ２０７において、制御部４００ａによって、前記分析項目（ステップＳ２０６において再測定の条件に合致すると判断された分析項目）の再検オーダが、リフレックステストの対象として再検オーダリストに登録されているか否かが判断される。制御部４００ａは、リフレックステストの対象として再検オーダリストに登録されていると判断した場合（Ｙｅｓ）にはステップＳ２０８へ処理を進め、リフレックステストの対象として再検オーダリストに登録されていないと判断した場合（Ｎｏ）にはステップＳ２０９へ処理を進める。
【００９５】
そして、ステップＳ２０８において、制御部４００ａによって、リフレックステストの対象である前記分析項目の再検オーダが削除されるとともに、当該分析項目についての再測定の希釈倍率の再検オーダが生成され、再検オーダリストに登録される。
一方、前記分析項目が、リフレックステストの対象として再検オーダリストに登録されていないと判断された場合、ステップＳ２０９において、制御部４００ａによって、当該分析項目についての再測定の希釈倍率の再検オーダが生成され、再検オーダリストに登録される。
【００９６】
ついでステップＳ２１０において、制御部４００ａによって、分析結果が、予め設定されたリフレックステストの条件に合致するか否かが判断される。制御部４００ａは、予め設定されたリフレックステストの条件に合致すると判断した場合（Ｙｅｓ）にはステップＳ２１１へ処理を進め、予め設定されたリフレックステストの条件に合致しないと判断した場合（Ｎｏ）にはステップＳ２１２へ処理を進める。
ついでステップＳ２１１において、制御部４００ａによって、対象の分析項目（ステップＳ２１０においてリフレックステストの条件に合致すると判断された結果、分析されることになる項目。この項目は、初検の分析項目とは異なっている）の再検オーダが、再希釈測定又は再測定の対象として再検オーダリストに登録されているか否かが判断される。制御部４００ａは、再希釈測定又は再測定の対象として再検オーダリストに登録されていると判断した場合（Ｙｅｓ）にはステップＳ２１３へ処理を進め、リフレックステストの対象として再検オーダリストに登録されていないと判断した場合（Ｎｏ）にはステップＳ２１２へ処理を進める。
【００９７】
ついでステップＳ２１２において、制御部４００ａによって、リフレックステストの対象の分析項目の再検オーダが生成され、再検オーダリストに登録される。
ついでステップＳ２１３において、制御部４００ａによって、リフレックステストのすべての条件について、分析結果が当該条件に合致するか否かの判断が行われたか否かが判断される。リフレックステストは、分析結果の値に応じて、１つの分析項目の結果から、複数種類のリフレックステストが派生することがある。例えば、分析項目Ａについて、分析結果ａがｃ０≦ａ＜ｃ１のときは、リフレックステスト１を行い、分析結果ａがｃ１≦ａ＜ｃ２のときは、リフレックステスト２を行うという具合に、分析結果の値に応じて、リフレックステストの種類が異なることがある。この場合、リフレックステストの種類毎に設定された条件（範囲又はレンジ）のすべてについて、分析結果が合致しているか否かの判断がステップＳ２１３において、制御部４００ａによって実行される。そして、制御部４００ａによって、リフレックステストの種類毎に設定された条件（範囲又はレンジ）のすべてについて分析結果が合致しているか否かの判断が行われたと判断された場合は、ステップＳ２１４へ処理を進める。一方、リフレックステストの種類毎に設定された条件（範囲又はレンジ）のすべてについては、分析結果が合致しているか否かの判断が行われていないと判断された場合は、ステップＳ２１０に戻る。
【００９８】
ついでステップＳ２１４において、制御部４００ａによって、すべての分析項目について再検オーダリストへの登録の要否の判断が行われたか否かが判断される。制御部４００ａは、すべての分析項目について再検オーダリストへの登録の要否の判断が行われたと判断した場合（Ｙｅｓ）にはステップＳ１１３へ処理を進め、すべての分析項目については再検オーダリストへの登録の要否の判断が行われていないと判断した場合（Ｎｏ）はステップＳ２１５へ処理を進める。
そして、ステップＳ２１５において、制御部４００ａによって次の分析項目が選択され、ステップＳ２０２に戻って前述した処理が繰り返し実行される。
【００９９】
［測定オーダの登録処理］
前記ステップＳ１０２における測定オーダの登録処理のフローを図１２に示す。
まず、ステップＳ３０１において、制御部４００ａによって、オーダ登録画面の表示指示が行われたか否か（メニュー画面のオーダ登録画面の表示を指示するためのオーダ登録画面ボタンが選択されたか否か）が判断される。制御部４００ａは、オーダ登録画面の表示指示が行われたと判断した場合（Ｙｅｓ）にはステップＳ３０２へ処理を進める。
そしてステップＳ３０２において、制御部４００ａによって、図１４に示されるオーダ登録画面が表示部４００ｂに表示される。
【０１００】
ついでステップＳ３０３において、制御部４００ａによって、検体番号、ラック番号、測定項目などの測定に関する情報が受け付けられたか否かが判断される。前記測定に関する情報は、ユーザが、前記オーダ登録画面の右下部の「オプション」ボタン２０１を選択し、ついで表示される各種ボタン（図１５参照）のうち「詳細オーダ入力」ボタン２０２を選択することで表示される詳細入力画面（図１６参照）において、該当する項目を選択して、キーボード４００ｃを操作することにより入力される。図１６の右側の「測定項目選択」領域に表示されている分析項目をテェックすることにより、当該分析項目のオーダ登録が可能な状態となる。分析項目の選択に際しては、検体の希釈倍率や測定回数を適宜変更して選択することができる。入力後、「確定」ボタン２０３を選択することで、入力した情報が確定され、ついで「元に戻る」ボタン２０４を選択することで、オーダ登録画面に戻る。制御部４００ａは、前記測定に関する情報が受け付けられたと判断した場合（Ｙｅｓ）にはステップＳ３０４へ処理を進め、前記測定に関する情報が受け付けられていないと判断した場合（Ｎｏ）にはステップＳ３０７へ処理を進める。
【０１０１】
ついでステップＳ３０４において、制御部４００ａによって、ユーザによるオーダ登録の指示が受け付けられたか否かが判断される。オーダ登録の指示は、図１４の右端部分に表示されている「登録」ボタンをユーザが選択することにより行われる。制御部４００ａは、オーダ登録の指示が受け付けられたと判断した場合（Ｙｅｓ）には、ステップＳ３０５に処理を進める。そして、ステップＳ３０５において、制御部４００ａによってオーダ登録が実行され、このオーダ登録は、ハードディスク４０１ｄの記憶領域（第１記憶部）に記憶される。
【０１０２】
前記ステップＳ３０３において、制御部４００ａによって、測定に関する情報が受け付けられていないと判断された場合（Ｎｏ）には、ステップＳ３０７において、同じく制御部４００ａによって、再検オーダリストの表示指示が行われたか否かが判断される。制御部４００ａは、再検オーダリストの表示指示が行われたと判断した場合（Ｙｅｓ）にはステップＳ３０８へ処理を進め、再検オーダリストの表示指示が行われていないと判断した場合（Ｎｏ）にはステップＳ３０６へ処理を進める。前記再検オーダリストの表示指示は、ユーザが、前記オーダ登録画面の右下部の「オプション」ボタン２０１を選択し、ついで表示される各種ボタン（図１５参照）のうち「再検オーダリスト」ボタン２０５を選択することで行うことができる。
【０１０３】
そしてステップＳ３０８において、制御部４００ａによって、図１３に示される再検オーダリストの画面が表示部４００ｂに表示される。この再検オーダリストには、再分析の対象となる検体を特定するための、例えば検体を収容する試験管を保持するラックの番号、当該ラックにおける前記検体を収容する試験管の位置、検体番号などの情報（特定情報）が、分析項目とともに含まれている。図１１に示されるフローチャートを用いて説明したように、分析の結果、再分析が必要であると判断された検体については、制御部４００ａによって、再分析が必要な項目が特定されたオーダ情報（再検オーダ）が生成され、このオーダ情報は、ハードディスク４０１ｄの記憶領域（第２記憶部）に記憶される。
【０１０４】
ついでステップＳ３０９において、制御部４００ａによって、再検オーダが選択されたか否かが判断される。再検オーダの選択は、マウスによるクリックやキーボードの操作により行われる。制御部４００ａは、再検オーダが選択されたと判断した場合（Ｙｅｓ）には、ステップＳ３１０に処理を進める。また、ステップＳ３０９において、再検オーダが選択されていない場合（Ｎｏ）には、制御部４００ａは、ステップＳ３１４へ処理を進める。
【０１０５】
ついでステップＳ３１０において、制御部４００ａによって、１検体コピーの指示が受け付けられたか否かが判断される。本実施の形態では、再検オーダリストからオーダ登録を行う場合、検体単位で行うこともできるし、当該検体が含まれるラック単位で行うこともできる。ユーザは、図１３に示される再検オーダリスト画面において左下に配置されている「１ラックコピー」又は「１検体コピー」のボタンを選択することにより、ラック単位又は検体単位のオーダ登録を行うことができる。具体的には、再分析しようとする検体を選択し、ついで「１検体コピー」のボタンを選択することにより、当該選択した検体のオーダ登録を行うことができ、また、再分析しようとする検体を選択し、ついで「ラックコピー」のボタンを選択することにより、当該選択した検体を含むラックにおいて再分析の対象となっているすべての検体のオーダ登録を行うことができる。制御部４００ａは、１検体コピーの指示が受け付けられたと判断した場合（Ｙｅｓ）には、ステップＳ３１１に処理を進め、１検体コピーの指示が受け付けられていないと判断した場合（Ｎｏ）にはステップＳ３１２へ処理を進める。
【０１０６】
ついでステップＳ３１１において、制御部４００ａによって、選択された検体の再検オーダが再検オーダリストから測定オーダへ移動された後、前記ステップＳ３０４へ処理が進められる。
ついでステップＳ３１２において、１ラックコピーの指示が受け付けられたか否かが判断される。制御部４００ａは、１ラックコピーの指示が受け付けられたと判断した場合（Ｙｅｓ）には、ステップＳ３１３に処理を進め、１ラックコピーの指示が受け付けられていないと判断した場合（Ｎｏ）にはステップＳ３１４へ処理を進める。
【０１０７】
ついでステップＳ３１３において、制御部４００ａによって、選択された検体と同じラック番号の再検オーダが再検オーダリストから測定オーダへ移動された後、前記ステップＳ３０４へ処理が進められる。
ついでステップＳ３１４において、制御部４００ａによって、再検オーダリストの表示を終了させる指示が行われたか否かが判断される。制御部４００ａは、再検オーダリストの表示終了指示が行われたと判断した場合（Ｙｅｓ）にはステップＳ３０６へ処理を進め、再検オーダリストの表示終了指示が行われていないと判断した場合（Ｎｏ）にはステップＳ３０９に戻る。
【０１０８】
ついでステップＳ３０６において、制御部４００ａによって、オーダ登録を終了させる指示が受け付けられたか否かが判断される。このオーダ登録終了の指示は、ユーザが、図１４に示されるオーダ登録画面の「登録」ボタンを選択することで行うことができる。制御部４００ａは、オーダ登録を終了させる指示が受け付けられたと判断した場合（Ｙｅｓ）には、ステップＳ１０３へ処理を進め、オーダ登録を終了させる指示が受け付けられていないと判断した場合（Ｎｏ）にはステップＳ３０３に戻る。
【図面の簡単な説明】
【０１０９】
【図１】本発明の試料分析装置の一実施の形態の全体構成を示す斜視図である。
【図２】図１に示される免疫分析装置の全体構成を示す平面図である。
【図３】図１に示される免疫分析装置における測定ユニットの構成を示すブロック図である。
【図４】図１に示される免疫分析装置における制御装置のブロック図である。
【図５】図１に示される免疫分析装置のピペットチップ供給装置が供給するピペットチップの正面図である。
【図６】図１に示される免疫分析装置のキュベット供給装置が供給するキュベットの正面図である。
【図７】図１に示される免疫分析装置のＢＦ分離部を示す斜視図である。
【図８】図１に示される免疫分析装置を用いた免疫分析の全体フローを示す図である。
【図９】図１に示される免疫分析装置の測定フローを示す図である。
【図１０】図１に示される免疫分析装置で測定される検体の抗原と各種試薬との反応を示す模式図である。
【図１１】再検オーダリストの登録処理のフローを示す図である。
【図１２】測定オーダの登録処理のフローを示す図である。
【図１３】再検オーダリスト表示画面の例を示す図である。
【図１４】オーダ登録画面の例を示す図である。
【図１５】図１４のオーダ登録画面におけるオプションの選択ボタンを示す図である。
【図１６】オーダ入力画面の例を示す図である。
【符号の説明】
【０１１０】
１      免疫分析装置
２      ピペットチューブ
３      試験管
４      ラック
５、６
７      試薬容器
１０      検体搬送部
２０      緊急検体・チップ搬送部
３０      ピペットチップ供給装置
４０      チップ脱離部
５０      検体分注アーム
６０ａ    試薬設置部
６０ｂ    試薬設置部
７０      キュベット供給部
８０ａ    １次反応部
８０ｂ    ２次反応部
９０ａ    試薬分注アーム
９０ｂ    試薬分注アーム
９０ｃ    試薬分注アーム
９０ｄ    試薬分注アーム
１００ａ    ＢＦ分離部
１００ｂ    ＢＦ分離部
１１０      搬送キャッチャ部
１２０      検出部
１３０      廃棄部
１４０      本体制御部
２０１      オプションボタン
２０２      詳細入力ボタン
２０３      確定ボタン
２０５      再検オーダリストボタン
４００      制御装置
４０１      パーソナルコンピュータ
４００ａ    制御部
４００ｂ    表示部
４００ｃ    キーボード
４０１ｄ    ハードディスク
【図３】
2008268160.tif 000003
【図４】
2008268160.tif 000004
【図８】
2008268160.tif 000005
【図１１】
2008268160.tif 000006
【図１２】
2008268160.tif 000007
【図１３】
2008268160.tif 000008
【図１４】
2008268160.tif 000009
【図１５】
2008268160.tif 000010
【図１６】
2008268160.tif 000011
【図１】
2008268160.tif 000012
【図２】
2008268160.tif 000013
【図５】
2008268160.tif 000014
【図６】
2008268160.tif 000015
【図７】
2008268160.tif 000016
【図９】
2008268160.tif 000017
【図１０】
2008268160.tif 000018